(57)【特許請求の範囲】
【請求項１】
扁平な物体のための包装であって、各々物体（６）の１つを受け入れるようになっている１つまたはそれ以上のキャビティ（２）を備えた支持カード（１）からなり、前記支持カードの上面が、カバー・フィルム（３）によって覆われており、このカバー・フィルムが、キャビティ（２）を塞ぎ、前記フィルムを破り開けることができるようにキャビティ（２）まわりの縁領域においてシール線（４）に沿って支持カードにシールされており、前記シール線（４）が、各々、カバー・フィルム（３）にある弱化線（ｃ）によって取り囲まれており、この弱化線（ｃ）が、プルタブ（１ａ、３ａ）の境界切断線（ｄ）の輪郭に合流し、それぞれのキャビティ（２）を覆っているカバー・フィルム（３）を把持し、手で破り開けることができるようにしている包装において、プルタブ（１ａ、３ａ）を境している切断線（ｄ）の下で、支持カード（１）が、破り開けることができる切断線あるいは弱化線（ａ、ｂ）を備え、この領域（３ａ）において、カバー・フィルム（３）が、その下方に位置する支持カード（１）の部分（ａ）にしっかりと連結してあることを特徴とする包装。
【請求項２】
請求項１に記載の包装において、プルタブの領域（３ａ）において、支持フィルム（３）が、支持カード（１）の対応する部分（１ａ）に接着、溶接あるいはシールされていることを特徴とする包装。
【請求項３】
請求項１または２に記載の包装において、支持カード（１）およびカバー・フィルム（３）が、それらのシール線（４）でキャビティ（２）を取り囲んでいるマトリックス・パターン状に付加的にシールされていることを特徴とする包装。
【請求項４】
請求項１〜３のいずれかに記載の包装において、キャビティをエンボス加工していることを特徴とする包装。
【請求項５】
請求項１〜４のいずれかに記載の包装において、支持カード（１）が、シール可能な媒質で被覆したボードからなることを特徴とする包装。
【請求項６】
請求項１〜４のいずれかに記載の包装において、支持カード（１）が、シール可能なフィルムで内張りされたボードからなることを特徴とする包装。
【請求項７】
請求項１〜４のいずれかに記載の包装において、支持カード（１）が、シール可能な媒質で内張りされたプラスチックからなることを特徴とする包装。
【請求項８】
請求項５または６に記載の包装において、カバー・フィルム（３）が、ポリエチレン、ポリプロピレンまたはＰＰ被覆された金属シートからなることを特徴とする包装。
【請求項９】
請求項５または６に記載の包装において、ボードが、０.３〜０.５mmの厚さを有することを特徴とする包装。
【請求項１０】
請求項１〜９のいずれかに記載の包装において、キャビティ（２）が、０.５〜１mmだけ、支持カード（１）の上面からセットバックされていることを特徴とする包装。
【請求項１１】
請求項１〜１０のいずれかに記載の包装において、支持カード（１）が、ボードまたはプラスチック・フィルムからなる扁平エンベロプによる取り囲まれていること、及び扁平なエンベロプを形成している領域（９）の１つが、１つの開いた端の縁付近に、部分（９ａ）を有し、この部分が、縁のところで終わっており、破り開けることのできる弱化線（ｆ）によって領域（９）の残りの部分から区切られており、支持カード（１）にしっかりと連結、特に接着あるいはシールされていることを特徴とする包装。
【請求項１２】
請求項１１に記載の包装において、エンベロプが、２つの対向端で開いていることを特徴とする包装。
【請求項１３】
請求項１１に記載の包装において、エンベロプが、３つの端で閉じていることを特徴とする包装。
【請求項１４】
請求項１１〜１３に記載の包装において、エンベロプ領域（９）から破り去ることができる部分（９ａ）が、半円形であり、ほぼ親指の先端の幅であり、破り開けることができる部分（９ａ）に隣接した、エンベロプの反対側の領域（８）が、類似の輪郭のカットアウト（８ａ）を有することを特徴とする包装。
【請求項１５】
請求項１１〜１４のいずれかに記載の包装において、支持カード（１）の１つの縁において、この支持カード（１）まわりに第２の支持カード（１）が取り付けられ、折り重ねられていることを特徴とする包装。
【請求項１６】
請求項１５に記載の包装において、第２の支持カードが、第１の支持カードと同様に設計されていることを特徴とする包装。
【請求項１７】
請求項１５に記載の包装において、支持カード（１）に取り付けた少なくとも１つの第２支持カードが、情報支持カードであることを特徴とする包装。
【発明の詳細な説明】
【０００１】
本発明は、扁平な物体、たとえば、可撓性のある薬剤扁平体、特にサセプタ、カシェ、ウェーハ、経皮治療システム（ＴＴＳ）または経皮吸収ドラッグデリバリーシステム（ＴＤＤＳまたはＴＤＳ）、チューインガム、マイクロチップ、スタンプ等の包装に関する。
【０００２】
いわゆるブリスタ・パックは、錠剤の包装の分野で確立されており、マトリックス・パターンで多数のキャビティまたはカップを備えた支持カードであって、キャビティあるいはカップが、個別に、錠剤、ピル、カプセルなどを受け入れるようになっている支持カードと、支持カードの上面に溶接され、カップを塞いでいるカバー・フィルムとからなる。このフィルムは、一般的に、アルミニウムからなり、支持カードに面する側に、ポリプロピレン、ポリエチレンまたは溶接を可能にするシーリング・ニスの層を備えている。充填済みのブリスタ・カードは、挿入リーフレットと共に、個々にまたは別々に、適切なサイズの折りたたみ式のボール箱内に包装される。
【０００３】
カップの１つから錠剤を取り出すには、親指を使用して錠剤を下からカバー・フィルムに対して上方へ押圧する。したがって、カバー・フィルムが、カップの領域において裂け、破り開けられる。この手順は、カバー・フィルムの低強度と関連した、支持カードの材料の柔軟性および錠剤の剛性のために、可能である。しかしながら、敏感な物体に損傷を与える可能性があるため、この手順を使用してカップから柔らかいあるいは敏感な物体を取り出すことは不可能である。
【０００４】
医薬製剤も、また、最近、市販されるようになってきており、その場合、医薬活性物質は、胃を通過することなく患者の循環系に達するように、患者の舌で吸収される敏感で比較的扁平なプラスタ（小さいカプセルまたはきわめて薄い、特別に製造されたフィルム）内に収容されている。このタイプの扁平物体（カバー・フィルムを押し通すには剛性が不充分でもある）は、上記タイプのブリスタ・パック内に包装するには不適当である。同じことが、半導体ウェーハのような脆くて薄い物体にもあてはまる。
ＵＳ ３９７０１９４は、かみそり刃のホルダーのためのディスプレーおよびディスペンス包装を開示するもので、その各々は独立的にブリスタ・パックの下のボード支持体上に配置されている。ボードは個々のホルダーの形状に対応する表面を区画する弱化線を有している。この弱化線はミシン目で形成され、ボードの端部に延びていて、切り取って開くのを容易にしている。
【０００５】
本発明の目的は、包装作業が簡単であり、包装から個々の扁平な物体／製品を直接的に個別に取り出すことができる、上記タイプの包装を利用できるようにすることにある。
この目的は、特許請求の範囲の請求項１に記載した特徴によって達成される。本発明の有利な実施例が、従属請求項の主題となっている。
【０００６】
本発明は、従来技術の支持カードと同様であり、扁平な物体／製品を受け入れることのできるキャビティを有する支持カードを使用する。このカードには、カバー・フィルムが連結してあり、このカバー・フィルムが、キャビティを塞ぐことによってカードを覆っている。しかしながら、従来技術と異なり、カードは、下からカバー・フィルムを押し通すことによって包装した扁平物体を取り出すようには設計されていない。その代わりに、カバー・フィルムは、支持カードと一緒に、キャビティによって形成されるチャンバを個別に、これらのチャンバの領域においてのみ、当該キャビティを覆って位置するカバー・フィルムの部分を引き剥がすことによって開くことができるように設計されている。
【０００７】
キャビティによって形成されたチャンバを開くとき、ボードの剛さが障害とならず、それどころか、開口作業をかなり容易にするので、支持カードはボードで作ると好ましい。ボード材料（好ましくは、０.３〜０.５mmの厚さを有する）は、蒸気バリヤを形成するばかりか、カバー・フィルムにシールするのに使用されるシール可能なニスまたはシール可能なフィルムで被覆されると好ましい。個々のチャンバの破り開けは、ボードとコーティングの間での材料分離によって可能となる。
【０００８】
受け入れようとしている扁平体の厚さに応じて、キャビティは、たとえば、０.５〜１mmだけ、支持カードの表面からセットバックされている。キャビティは、特に、そして、好ましくは、素材を製造するときに支持カード材料をエンボス加工することによって作られる。
【０００９】
カバー・フィルムは、少なくともキャビティの縁まわりの領域において、支持カードにシールされ、キャビティによって形成されたチャンバの緊密なシールを確実にする。チャンバを破り開けるのをより容易にするために、カバー・フィルムは、上記シールの外側でキャビティの縁まわりに、弱化線、たとえば、パーフォレーション線またはミシン目線を備える。破り開けをより簡単にするために、プルタブを破り開けようとしているカバー・フィルムの各部分に形成してもよい。このプルタブを指で把持することができる。このプルタブは、次に、好ましくは、支持カードの下層材料にしっかりと連結し、そして、タブの下に位置する支持カード部分を弱化線によってタブから区切ることになる。その結果、関連するチャンバを開くために、この部分をカードから破断し、プルタブおよびカバー・フィルムの隣接部分と共に引き剥がすのが容易になる。
【００１０】
カバー・フィルムは、好ましくは、キャビティの分布と一致するマトリックス・パターンで支持カードにしっかりと連結、たとえば、接着あるいはシールされ、キャビティを破り開けたときに、カバー・フィルムの支持カードからの引き剥がしを制御できなくなるのを防ぐことができる。
【００１１】
この包装は、好ましくは、また、スリーブ状のエンベロプを包含する。このエンベロプは、支持カードを受け入れ、支持カードに局部的に連結するとよい。それにより形成されたオリジナルの閉鎖体が、支持カードおよびエンベロプを一緒に保持するばかりか、包装が初めて使用される前に改ざんされていないという保証を与えることもできる。
【００１２】
本発明の発展型として、さらに別の支持カードを先の支持カードの縁のうち少なくとも１つの縁に取り付けてもよい。このさらに別の支持カードは、上記の「メイン」支持カードと同じ設計であり、包装の保持体積を増大させるが、たとえば、薬剤について必要な挿入リーフレットの代わりの情報支持カードであってもよい。また、支持カードの２つあるいは３つの縁において、付加的な支持カード（その１つが、たとえば、上方支持カードである）を取り付けることも可能である。メイン支持カードへのこれら付加的な支持カードの連結は、たとえば、パーフォレーション線で行うことができ、その結果、もはや必要ないときには、付加的な支持カードをメイン支持カードから裂き離すことができる。エンベロプも、接着、シーリングその他で３つまたは４つの側部で閉じてもよい。
【００１３】
カバー・フィルムを、キャビティの領域において、支持カードから容易に取り外すことができるということが、本発明にとって必須である。したがって、シール線の領域は、シールした材料を分離可能にするか、あるいはライニングをベースから剥がすか（ボードを使用するときには容易に達成され得る）いずれかによって、容易に裂き開けることができなければならない。先に説明したように、支持カードはボードから作ってもよく、あるいは、支持カードをシール可能なプラスチックから作ると共に、カバー・フィルムを内張りあるいはニス塗りしたボードで作ってもよい。
【００１４】
以下、図面に示す実施例を参照しながら、本発明をより詳しく説明する。
図１によれば、支持カード１は、矩形素材、好ましくはボードからなる。図示実施例では、支持カード１は、その材料をエンボス加工することによって形成された４つの矩形キャビティ２を備える。キャビティ２の幅狭側に隣接して、支持カード１には、半月状領域あるいはフィールド１ａが区切られている。これは、特に、キャビティ２の幅狭側に隣接したまっすぐな切断線または弱化線によって、そして、まっすぐな切断線の端を相互に連結している半月状断続破断線ｂによって特に行われる。
【００１５】
図２、３によれば、支持カード１は、カバー・フィルム３によって覆われている。ここで、図３が、支持カード１およびカバー・フィルム３の厚さを非常に誇張した尺度で示していることを了解されたい。
カバー・フィルム３は、破り開けることができるようにキャビティ２まわりの縁領域において支持カード１にシールされる。シール線またはシール領域４は、フレームのように各キャビティ２を取り囲んでいる。シール領域４の外側において、カバー・フィルム３は、キャビティ２の長辺に対して平行な弱化線ｃを備えている。これらの弱化線は、支持カード１にある破断線ｂ上に位置する半月状の切断線ｄに合流する。キャビティ２の、切断線ｄとは反対側に位置する側で、領域ｅには、弱化線ｃはない。切断線ｄによって囲まれるカバー・フィルム３の領域３ａは、好ましくは、支持カード１の下層半月状部分に接着、溶接あるいはシールされる。
【００１６】
図３は、支持カード１の下面に設けた、蒸気バリヤとして作用するライニング５を示している。図３は、また、たとえば、扁平な薬剤６をキャビティ２に詰めた状態を示している。
エンベロプ（その素材７が図４に示してある）は、充填し、シールした支持カードを入れるのに用いられる。このエンベロプは、２つの主領域８、９と、１つの主領域８に隣接する接着剤タブ１０とからなり、折り線によって互いから区切られている。折り曲げ、接着することによって、この素材は、扁平なエンベロプに形成することができる。１つの主領域８は、半月状のカットアウト８ａを有し、他方の主領域９は、カットアウト８ａに対応する位置で、半円形の破断線ｆによって区切られる約半円形の部分９ａを有する。
【００１７】
包装作業に際して、エンベロプの素材７は、充填済みの支持カード１まわりに折り重ねられ、接着剤タブ１０の助けによって接着される。したがって、１つのエンベロプ領域９の半月状部分９ａは、充填済みの支持カード１、好ましくは、その下面あるいはそこに取り付けたライニング５に接着される。
【００１８】
さらに別の接着剤タブを領域８または９に、対向した側８ａまたは９ａに取り付け、この側も閉じてよい。次に、この接着剤タブは、折り重ねた後に側部８または９に接着する。
使用時に扁平なエンベロプから支持カード１を取り外すために、破断線ｆを破り開け、部分９ａを主領域９から分離する。その結果、支持カード１をエンベロプから引き出すことができる。
【００１９】
次に、キャビティ２の１つを覆っているカバー・フィルム３を引き裂くことができる。この目的のために、当該半月状部分１ａを、支持カード１から破り去ることができる。これは、カバー・フィルム３が当該位置に半月状の切断線ｄを備えているので、容易に行える。支持カード１の部分１ａおよびそれに連結したカバー・フィルム３の部分３ａは、把持タブを形成する。これは、当該キャビティ２を覆っているカバー・フィルム３の限られた破り開けを容易にする。カバー・フィルム３のこの部分は、弱化線ｃのところで容易に破り開け、フレーム状シール領域４上のシールを緩めることができる。したがって、キャビティ２に自由にアクセスすることができ、その内容物６を取り出すことができる。カバー・フィルム３の破り取った材料を個別に廃棄する必要がないように、支持カード１から完全に取り外さなくてもよい。この理由のために、弱化線は、半月状切断線ｄの反対側に位置する領域ｅにはない。もちろん、上記領域ｅにも弱化線ｃを形成し、キャビティ２を先に覆っていたカバー・フィルム３の部分を完全に破り去るのを容易にしてもよい。
【図面の簡単な説明】
【図１】  エンボス加工した支持カードを原寸大で示す平面図である。
【図２】  カバー・フィルムを備えた支持カードを拡大して示す平面図である。
【図３】  図２の支持カードを通る縦断面を示している。
【図４】  支持カードのためのエンベロプの素材を示している。
【図１】
0004302896.tif 000002
【図４】
0004302896.tif 000003
【図２】
0004302896.tif 000004
【図３】
0004302896.tif 000005